(57)【要約】【課題】  メイン基板とカードスロットユニットとが記録・再生ユニットの両側にそれぞれ配置された再生装置や記録再生装置において、メイン基板とカードスロットユニットとを接続する接続部材の長さを可及的に短くすることができ、且つ、組立工程の簡略化が図られた再生装置若しくは記録装置若しくは記録再生装置の提供。【解決手段】  コネクタ１１ａの装置の前面部からの変位量ｘと、コネクタ１５ｂ１の装置の前面部からの変位量ｙと、を略同一とし、コネクタ１１ａとコネクタ１５ｂ１とを結ぶ直線上に、ＤＶＤ再生ユニット１３の脚部１３１を設けないことにより、ＦＦＣ１７（接続部材）に折り曲げ部を形成する必要がないようにする。【選択図】  図２
2006164316.tif 000002
【特許請求の範囲】
【請求項１】
映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、小型メモリカードなどの記録媒体からの信号の読込み若しくは書込み若しくは読書きを行うカードスロットユニットと、を備えた再生装置若しくは記録装置若しくは記録再生装置であって、前記メイン基板と、前記カードスロットユニットと、が装置内に実装された状態で、前記メイン基板上に備えられる当該メイン基板と前記カードスロットユニットとを相互に接続する接続部材との接続部の、前記装置の前面部からの変位量と、前記カードスロットユニット上に備えられる前記接続部材との接続部の、前記装置の前面部からの変位量と、が略同一であることを特徴とする再生装置若しくは記録装置若しくは記録再生装置。
【請求項２】
前記メイン基板と、前記電源基板と、前記記録・再生ユニットとが、前記装置内の略同一平面上に搭載され、且つ、前記記録・再生ユニットを前記装置の略中央となる位置に配置し、当該記録・再生ユニットの両脇部分となる位置に前記メイン基板と前記電源基板とを配置し、さらに前記カードスロットユニットの配置位置が、前記記録・再生ユニットの配置位置に対して前記電源基板が配置される側であることを特徴とする請求項１記載の再生装置若しくは記録装置若しくは記録再生装置。
【請求項３】
前記メイン基板上に備えられる前記接続部材との接続部と、前記カードスロットユニット上に備えられる前記接続部材との接続部と、を結ぶ直線上に、前記記録・再生ユニットを前記装置内に搭載するための支持部材が位置することがないように、各部材を構成し、且つ、前記メイン基板と前記カードスロットユニットとを相互に接続する前記接続部材が、前記記録・再生ユニットの下部に配置されたことを特徴とする請求項２記載の再生装置若しくは記録装置若しくは記録再生装置。
【発明の詳細な説明】
【技術分野】
【０００１】
本発明は、記録再生装置などに関するものであり、特に、小型メモリカードなどの記録媒体からの信号の読込み若しくは書込み若しくは読書きを行うカードスロットユニットを備えた記録再生装置などに関する。
【背景技術】
【０００２】
記録再生装置などの電子装置内には、複数の基板が搭載されることが多く、近年の電子装置の小型化・薄型化の要請により、これらの装置内の各基板の配置位置や、各基板を相互に接続するためのケーブルの配線にも制限が生じることが多い。このような装置内の基板の配置位置や、配線方法などに関する従来技術が、特許文献１や特許文献２などによって開示されている。
【０００３】
【特許文献１】特開平１０−３３４６４３号公報
【特許文献２】特開２００３−３４７７７０号公報
【発明の開示】
【発明が解決しようとする課題】
【０００４】
製品の薄型化・小型化が図られた再生装置や記録再生装置では、大別して、映像・音声信号処理部や制御部などを備えるメイン基板と、当該メイン基板とは別個に形成される電源基板と、記録・再生ユニットと、の３つの部材が略同一平面上に隣接して設けられるのが一般的である。図６は従来の再生装置（ＤＶＤプレーヤ６０）の一例の、主な構成部材の位置関係を示したブロック図である。図に示されるように、デザイン上の要請などの理由から記録・再生ユニットであるＤＶＤ再生ユニット６３を装置の真中付近に配置すると、薄型化の要請により、ＤＶＤ再生ユニット６３と基板とを上下方向に重ねることができないため、メイン基板６１と電源基板６２とを別基板として構成し、それぞれＤＶＤ再生ユニット６３の左右に配置するような構成となるのである。また、表示管６１ａも薄型化の要請によりＤＶＤ再生ユニット６３と上下方向に重ねることができないため、メイン基板６１との接続性などをも考慮すると、表示管６１ａは（図６に示されるように表示管６１ａがメイン基板６１上に直接設けられるか、表示管６１ａを備えた基板が別基板として形成されるかの別はあっても）、メイン基板６１がある側に設けるのが合理的構成となる。
【０００５】
このような構成の再生装置や記録再生装置に対し、小型メモリカードなどの記録媒体からの信号の読込み若しくは書込み若しくは読書きを行うカードスロットユニットを、装置の前面部（フロントパネル）から記録媒体を出し入れできるように搭載させる場合、前述のごとく、装置の前面部の中央部にはＤＶＤ再生ユニットが、メイン基板が搭載される側には表示管があり、薄型化の要請のためこれらの部材と上下方向に重ねることができないため、カードスロットユニットは電源基板が配置される側に搭載させることとなる。従って、カードスロットユニットから入出力される信号の処理を行うメイン基板と、カードスロットユニットと、を接続する接続部材（ケーブル）を、ＤＶＤ再生ユニットをまたいで若しくは迂回して配線する必要がある。これに対し特許文献１によって開示される従来技術を応用すれば、ＤＶＤ再生ユニットの上部を（可動部との接触を防止しつつ）通して配線できるが、ＤＶＤ再生ユニットの上部にケーブル固定手段を形成する必要があると共に、製造工程において、当該ケーブル固定手段にケーブルを通す工程や、ケーブルを必要に応じて折り曲げる工程などが必要となるものであった。
【０００６】
本発明は、前述した点に鑑み、メイン基板とカードスロットユニットとが記録・再生ユニットの両側にそれぞれ配置された再生装置や記録再生装置において、メイン基板とカードスロットユニットとを接続する接続部材の長さを可及的に短くすることができ、且つ、組立工程の簡略化が図られた再生装置若しくは記録装置若しくは記録再生装置を提供することを目的とする。
【課題を解決するための手段】
【０００７】
請求項１の再生装置若しくは記録装置若しくは記録再生装置は、映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、小型メモリカードなどの記録媒体からの信号の読込み若しくは書込み若しくは読書きを行うカードスロットユニットと、を備えた再生装置若しくは記録装置若しくは記録再生装置であって、前記メイン基板と、前記カードスロットユニットと、が装置内に実装された状態で、前記メイン基板上に備えられる当該メイン基板と前記カードスロットユニットとを相互に接続する接続部材との接続部の、前記装置の前面部からの変位量と、前記カードスロットユニット上に備えられる前記接続部材との接続部の、前記装置の前面部からの変位量と、が略同一であることを特徴とする。
【０００８】
上記構成によれば、メイン基板上に備えられる接続部と、カードスロットユニット上に備えられる接続部の、装置の前面部からの変位量が略同一であるため、両接続部に接続される接続部材を、装置の前面部と略並行（直線的）に取り付けることができる。従って、当該接続部材（フラットケーブルなど）に折り曲げ部等を設けないようにすることが可能となる。
【０００９】
請求項２の再生装置若しくは記録装置若しくは記録再生装置は、請求項１記載の再生装置若しくは記録装置若しくは記録再生装置であって、前記メイン基板と、前記電源基板と、前記記録・再生ユニットとが、前記装置内の略同一平面上に搭載され、且つ、前記記録・再生ユニットを前記装置の略中央となる位置に配置し、当該記録・再生ユニットの両脇部分となる位置に前記メイン基板と前記電源基板とを配置し、さらに前記カードスロットユニットの配置位置が、前記記録・再生ユニットの配置位置に対して前記電源基板が配置される側であることを特徴とする。
【００１０】
上記構成によれば、薄型化・小型化が図られた装置内における各構成部材の配置の最適化がなされ、且つ、メイン基板とカードスロットユニットとを接続する接続部材に折り曲げ部等を設けないようにすることが可能となる。
【００１１】
請求項３の再生装置若しくは記録装置若しくは記録再生装置は、請求項２記載の再生装置若しくは記録装置若しくは記録再生装置であって、前記メイン基板上に備えられる前記接続部材との接続部と、前記カードスロットユニット上に備えられる前記接続部材との接続部と、を結ぶ直線上に、前記記録・再生ユニットを前記装置内に搭載するための支持部材が位置することがないように、各部材を構成し、且つ、前記メイン基板と前記カードスロットユニットとを相互に接続する前記接続部材が、前記記録・再生ユニットの下部に配置されたことを特徴とする。
【００１２】
上記構成によれば、メイン基板上に備えられる接続部と、カードスロットユニット上に備えられる接続部と、を結ぶ直線上に、記録・再生ユニットを装置内に搭載するための支持部材がないため、両接続部に接続される接続部材を直線的に配置でき、当該接続部材に折り曲げ部等を設けないようにすることが可能となる。また、接続部材が、装置の筐体（シャーシ）と記録・再生ユニットとの間に挟まれる構成となる。
【発明の効果】
【００１３】
本発明の請求項１の、映像信号や音声信号の処理を行う映像・音声信号処理部や装置全体の制御を行う制御部などを備えるメイン基板と、当該メイン基板とは別個に形成される電源基板と、記録媒体からの信号の読込み若しくは書込み若しくは読書きを行う記録・再生ユニットと、小型メモリカードなどの記録媒体からの信号の読込み若しくは書込み若しくは読書きを行うカードスロットユニットと、を備えた再生装置若しくは記録装置若しくは記録再生装置であって、前記メイン基板と、前記カードスロットユニットと、が装置内に実装された状態で、前記メイン基板上に備えられる当該メイン基板と前記カードスロットユニットとを相互に接続する接続部材との接続部の、前記装置の前面部からの変位量と、前記カードスロットユニット上に備えられる前記接続部材との接続部の、前記装置の前面部からの変位量と、が略同一であることを特徴とする再生装置若しくは記録装置若しくは記録再生装置によれば、メイン基板上とカードスロットユニット上に設けられる両接続部に接続される接続部材（フラットケーブルなど）が、装置の前面部と略並行（直線的）に取り付けられ、当該接続部材に折り曲げ部等を設けないようにすることが可能となるため、装置の製造工程において、当該接続部材を折り曲げるなどの工程を不要とすることができると共に、ケーブルに折り曲げ部を設けることにより生じる物理的若しくは電気的負担もない。また、折り曲げ部がないということは、接続部材の長さを可及的に短くできるということであり、従って、接続部材への（若しくは接続部材からの）ノイズの影響を低減させることができる。
【００１４】
本発明の請求項３の、前記メイン基板上に備えられる前記接続部材との接続部と、前記カードスロットユニット上に備えられる前記接続部材との接続部と、を結ぶ直線上に、前記記録・再生ユニットを前記装置内に搭載するための支持部材が位置することがないように、各部材を構成し、且つ、前記メイン基板と前記カードスロットユニットとを相互に接続する前記接続部材が、前記記録・再生ユニットの下部に配置されたことを特徴とする請求項２記載の再生装置若しくは記録装置若しくは記録再生装置によれば、メイン基板上に備えられる接続部と、カードスロットユニット上に備えられる接続部と、を結ぶ直線上に、記録・再生ユニットを装置内に搭載するための支持部材がないため、両接続部に接続される接続部材（フラットケーブルなど）を直線的に配置でき、当該接続部材に折り曲げ部等を設けないようにすることが可能となる。また、接続部材が、装置の筐体（シャーシ）と記録・再生ユニットとの間に挟まれる構成となるため、接続部材を係止するための固定手段を必要とせず、従って、接続部材を固定手段に係止する作業も必要なく、装置の製造コストを低減させることができる。加えて、記録・再生ユニットがシールド構造（金属製の筐体など）を備えている場合は、接続部材がシャーシと記録・再生ユニットとの間に挟まれるため、接続部材に対するシールド効果を得ることもできる。
【発明を実施するための最良の形態】
【００１５】
以下、本発明の具体的実施例について、図面を参照しながら説明する。なお、以下の実施態様は、本発明を具体化する際の一形態であって、本発明をその範囲内に限定するためのものではない。
【００１６】
図１は本発明に係るＤＶＤプレーヤの天板を外した状態の概略を示す斜視図であり、図２（ａ）は同ＤＶＤプレーヤの主な構成部材の位置関係を示したブロック図、図２（ｂ）は同ＤＶＤプレーヤの正面概略図である。図３は同ＤＶＤプレーヤの組み立て工程の一部を説明するための分解斜視図である。図４は、図１中のＡ−Ａ線に沿った断面の概略を示した図である。
【００１７】
図１及び図２に示されるように、再生装置であるＤＶＤプレーヤ１は、映像信号や音声信号の処理を行う映像・音声信号処理部や装置全体の制御を行う制御部などを備えるメイン基板１１と、当該メイン基板１１とは別個に形成される電源基板１２と、記録媒体（ＤＶＤ）からの信号の読込みを行うＤＶＤ再生ユニット１３と、小型メモリカードなどの記録媒体からの信号の読込み若しくは書込み若しくは読書きを行うカードスロットユニット１５などを筐体１４（天板１４ａ・シャーシ１４ｂ・フロントパネル１４ｃ）内に備える。ＤＶＤ再生ユニット１３・メイン基板１１・電源基板１２は、図に示されるように、ＤＶＤ再生ユニット１３が、装置（ＤＶＤプレーヤ１）の略中央部となるように配置され、メイン基板１１と電源基板１２とがそれぞれＤＶＤ再生ユニット１３の両脇部分に配置されて、シャーシ１４ｂ上（略同一平面上）に搭載される。カードスロットユニット１５は、ＤＶＤ再生ユニット１３の脇部であって電源基板１２が搭載される側に、フロントパネル１４ｃに係止されることによって搭載される。フロントパネル１４ｃには、ＤＶＤ再生ユニット１３のトレイが出入りするトレイ排出口１４ｃ１、表示管１６の表示を透過する表示部１４ｃ２、装置に対する入力インターフェースである操作部１４ｃ３、小型メモリカードなどの記録媒体を挿入（取外し）するための媒体挿入口１４ｃ４等が形成される。なお、小型メモリカードとは、携帯電子装置（例えばデジタルカメラ）などに使用されるカード状の小型フラッシュメモリや、ポータブルコンピュータなどに使用されるＰＣカードなどを言う。
【００１８】
図１〜図３に示されるように、カードスロットユニット１５は、小型メモリカードなどの記録媒体とのインターフェースとなるカードスロット１５ａと、当該カードスロット１５ａから入出力される信号の処理等を行うカードスロット基板１５ｂとからなり、カードスロット基板１５ｂには、カードスロットユニット１５とメイン基板１１とを相互に接続する接続部材であるフレキシブルフラットケーブル（以下単にＦＦＣ）１７との接続部であるコネクタ１５ｂ１が設けられる。メイン基板１１上には、ＦＦＣ１７を接続するためのコネクタ１１ａが設けられ、ＤＶＤプレーヤ１の前面側となる部分に操作部１４ｃ３からの入力を受けるオペレーション部（図示せず）や、表示管１６（図３）などが設けられる。カードスロットユニット１５上のコネクタ１５ｂ１とメイン基板１１上のコネクタ１１ａは、メイン基板１１と、カードスロットユニット１５と、が装置（ＤＶＤプレーヤ１）内に実装された状態で、ＤＶＤプレーヤ１の前面部からの変位量（図２（ａ）中のｘとｙ）が略同一となるように、且つ、ＤＶＤ再生ユニット１３の支持部材である脚部１３１のＤＶＤプレーヤ１前面部からの変位量と同一とならないように（コネクタ１５ｂ１とコネクタ１１ａとを結ぶ直線上に、ＤＶＤ再生ユニット１３の脚部１３１が位置することがないように）形成される。
【００１９】
上記したような構成によれば、コネクタ１５ｂ１とコネクタ１１ａのＤＶＤプレーヤ１前面部からの変位量が略同一であり、且つ、コネクタ１５ｂ１とコネクタ１１ａとを結ぶ直線上にＤＶＤ再生ユニット１３の脚部１３１が無いため、カードスロットユニット１５とメイン基板１１とを接続するＦＦＣ１７を、ＤＶＤ再生ユニット１３の下部（ＤＶＤ再生ユニット１３とシャーシ１４ｂとの間（図４の隙間部４０））に直線的（折曲げ部分を設けることなく）に配置することができる。図３にはＤＶＤプレーヤ１の組み立て工程の一例を説明するための分解斜視図を示した。図から理解されるように、ＤＶＤプレーヤ１の組み立て工程では、シャーシ１４ｂにメイン基板１１及び電源基板１２を搭載し、ＦＦＣ１７をメイン基板１１上のコネクタ１１ａとカードスロットユニット１５上のコネクタ１５ｂ１とに接続する（この段階ではカードスロットユニット１５は固定されていない）。その後に、当該ＦＦＣ１７の上からＤＶＤ再生ユニット１３をシャーシ１４ｂに搭載し（これによりＦＦＣ１７が、シャーシ１４ｂとＤＶＤ再生ユニット１３との間の隙間（図４の隙間部４０）に通される構成となる）、フロントパネル１４ｃをシャーシ１４ｂに取り付け、カードスロットユニット１５をフロントパネル１４ｃの所定の位置に係止することによって、主要な各構成部材がＤＶＤプレーヤ１内に配置・搭載される。なお、メイン基板１１と電源基板１２、メイン基板１１とＤＶＤ再生ユニット１３も相互にケーブルなどによって電気的に接続されるものであるが、本発明と直接的には関連しないため、説明（及び図示）を省略した。
【００２０】
以上のごとく、本実施例のＤＶＤプレーヤ１によれば、装置（ＤＶＤプレーヤ１）の製造工程において、ＦＦＣ１７を折り曲げるなどの工程を不要とすることができると共に、ＦＦＣ１７に折り曲げ部を設けることにより生じる物理的若しくは電気的負担もない。また、折り曲げ部がないということは、ＦＦＣ１７の長さを可及的に短くできるということであり、ＦＦＣ１７への（若しくはＦＦＣ１７からの）ノイズの影響を低減させることができると共に、製造工程中や装置の動作中に線材（ＦＦＣ１７）に他の部材が引っかかるというような不具合が生じることを低減させる効果もある。さらに、ＦＦＣ１７が、シャーシ１４ｂとＤＶＤ再生ユニット１３との間に挟まれる構成となるため、ＦＦＣ１７を係止するためのフックなどの固定手段を必要とせず、よってＦＦＣ１７を固定手段に係止する作業も必要なく、装置の製造コストを低減させることができる。加えて、ＤＶＤ再生ユニット１３がシールド構造（金属製の筐体など）を備えている場合は、ＦＦＣ１７がシャーシ１４ｂとＤＶＤ再生ユニット１３との間に挟まれるため、ＦＦＣ１７に対するシールド効果を得ることもできる。
【００２１】
図５には、ＦＦＣ１７の固定をより確実にした本発明に係るＤＶＤプレーヤの概略ブロック図を示した。図５（ａ）に示されるＤＶＤプレーヤ５０ａでは、メイン基板１１ｂとＤＶＤ再生ユニット１３とを相互に接続するためのＦＦＣ１７ｂ・ＦＦＣ１７ｃとこれを接続するためのコネクタ１１ｂ１とコネクタ１１ｂ２の間に、ＦＦＣ１７を通すような構成とすることによって、ＦＦＣ１７の固定をより確実なものとしており、図５（ｂ）に示されるＤＶＤプレーヤ５０ｂでは、ＤＶＤ再生ユニット１３ｂを支持するための脚部１３１ｂの間にＦＦＣ１７を通すような構成とすることによって、ＦＦＣ１７の固定をより確実なものとしている。
【００２２】
なお、実施例においては、再生装置の一例としてＤＶＤプレーヤを用いて説明したが、本発明をこれに限るものではなく、ＤＶＤレコーダなどの記録再生装置にも適用できるのは勿論のこと、ＨＤＤなどの他の記録媒体を使用した記録再生装置などにも有効に適用することができる。
【図面の簡単な説明】
【００２３】
【図１】ＤＶＤプレーヤの天板を外した状態の概略を示す斜視図
【図２】（ａ）：ＤＶＤプレーヤの主な構成部材の位置関係を示したブロック図、（ｂ）：ＤＶＤプレーヤの正面概略図
【図３】ＤＶＤプレーヤの組み立て工程の一部を説明するための分解斜視図
【図４】図１中のＡ−Ａ線に沿った断面概略図
【図５】別のＤＶＤプレーヤの主な構成部材の位置関係を示したブロック図
【図６】従来のＤＶＤプレーヤの一例の主な構成部材の位置関係を示したブロック図
【符号の説明】
【００２４】
１      ＤＶＤプレーヤ（再生装置）
１１    メイン基板
１１ａ・１５ｂ１  コネクタ（接続部）
１２    電源基板
１３    ＤＶＤ再生ユニット（記録・再生ユニット）
１５    カードスロットユニット
１６    表示管
１７    フレキシブルフラットケーブル（接続部材）
１３１  脚部（支持部材）
【図１】
2006164316.tif 000003
【図２】
2006164316.tif 000004
【図３】
2006164316.tif 000005
【図４】
2006164316.tif 000006
【図５】
2006164316.tif 000007
【図６】
2006164316.tif 000008